(57)【特許請求の範囲】
【請求項１】
第１の電極が交流電源に接続され、第２の電極が負荷に接続された半導体スイッチと、
前記半導体スイッチの第２の電極と蓄電装置との間に接続され、前記交流電源からの交流電力を直流電力に変換して前記蓄電装置に供給するとともに、前記蓄電装置からの直流電力を交流電力に変換して前記負荷に供給する双方向電力変換器と、
前記半導体スイッチに流れる電流と前記負荷に流れる無効電流を検出する電流検出器と、
前記電流検出器の検出結果に基いて前記半導体スイッチおよび前記双方向電力変換器を制御する制御部とを備え、
前記制御部は、
前記交流電源から交流電力が供給されている通常動作時は、前記半導体スイッチを導通させるとともに前記双方向電力変換器から前記蓄電装置に直流電力を供給させ、
前記通常動作時において前記半導体スイッチに流れる電流が前記半導体スイッチの定格電流値を超えた場合は、前記双方向電力変換器から前記負荷に前記無効電流を供給させ、
前記双方向電力変換器から前記負荷に前記無効電流を供給させても前記半導体スイッチに流れる電流が前記定格電流値を超えている場合は、前記双方向電力変換器から前記蓄電装置に供給される直流電力を減少させ、
前記交流電源からの交流電力の供給が停止された停電時は、前記半導体スイッチを非導通にするとともに、前記双方向電力変換器から前記負荷に交流電力を供給させる、無停電電源装置。
【請求項２】
第１の電極が交流電源に接続され、第２の電極が負荷に接続された半導体スイッチと、
前記半導体スイッチの第２の電極と蓄電装置との間に接続され、前記交流電源からの交流電力を直流電力に変換して前記蓄電装置に供給するとともに、前記蓄電装置からの直流電力を交流電力に変換して前記負荷に供給する双方向電力変換器と、
前記半導体スイッチに流れる電流と前記負荷に流れる無効電流を検出する電流検出器と、
前記電流検出器の検出結果に基いて前記半導体スイッチおよび前記双方向電力変換器を制御する制御部とを備え、
前記制御部は、
前記交流電源から交流電力が供給されている通常動作時は、前記半導体スイッチを導通させるとともに前記双方向電力変換器から前記蓄電装置に直流電力を供給させ、
前記通常動作時において前記半導体スイッチに流れる電流が前記半導体スイッチの定格電流値を超えた場合は、前記双方向電力変換器から前記負荷に前記無効電流を供給させ、
前記双方向電力変換器から前記負荷に前記無効電流を供給させても前記半導体スイッチに流れる電流が前記定格電流値を超えている場合は、前記定格電流値を超える分の有効電流を前記双方向電力変換器から前記負荷に供給させ、
前記交流電源からの交流電力の供給が停止された停電時は、前記半導体スイッチを非導通にするとともに、前記双方向電力変換器から前記負荷に交流電力を供給させる、無停電電源装置。
【請求項３】
さらに、第１の電極が交流電源に接続され、第２の電極が前記半導体スイッチの第２の電極に接続されたバイパススイッチを備え、
前記制御部は、
前記通常動作時において前記半導体スイッチに流れる電流が前記定格電流値を超えている時間が予め定められた時間を超えた場合は前記バイパススイッチを導通させ、
前記通常動作時において前記半導体スイッチに流れる電流が前記定格電流値よりも大きな過電流値を超えた場合は前記半導体スイッチを非導通にし、
前記停電時は前記バイパススイッチを非導通にする、請求項１または請求項２に記載の無停電電源装置。
【発明の詳細な説明】
【技術分野】
【０００１】
この発明は無停電電源装置に関し、特に、双方向電力変換器を備えた無停電電源装置に関する。
【背景技術】
【０００２】
従来の無停電電源装置は、商用交流電源と負荷の間に接続される半導体スイッチと、蓄電装置と負荷の間に接続される双方向電力変換器とを備える。通常動作時は、半導体スイッチがオンされ、商用交流電源からの交流電力が半導体スイッチを介して負荷に供給される。また、商用交流電源からの交流電力が双方向電力変換器によって直流電力に変換されて蓄電装置に供給される。
【０００３】
また、通常動作時において負荷電流が増大して半導体スイッチに流れる電流が定格電流値を超えた場合は、蓄電装置からの直流電力が双方向電力変換器によって交流電力に変換され、定格電流を超える分の交流電流が双方向電力変換器から負荷に供給される。したがって、半導体スイッチに流れる電流を定格電流値以下に低減することができる。
【０００４】
また、商用交流電源の停電時は、半導体スイッチがオフされ、蓄電装置からの直流電力が双方向電力変換器によって交流電力に変換されて負荷に供給される。したがって、停電時でも所定時間は、負荷の運転を継続することができる（たとえば、特許文献１参照）。
【先行技術文献】
【特許文献】
【０００５】
【特許文献１】特開２００８−２９５１６０号公報
【発明の概要】
【発明が解決しようとする課題】
【０００６】
しかし、従来の無停電電源装置では、半導体スイッチに流れる電流が定格電流値を超えた場合、有効電流を負荷に供給するので、蓄電装置の端子間電圧が速く低下すると言う問題があった。蓄電装置の端子間電圧が放電終始電圧まで低下すると、双方向電力変換器の運転が停止し、双方向電力変換器から負荷への電力供給が停止してしまう。また、蓄電装置の端子間電圧が放電終始電圧まで低下する前に、半導体スイッチに流れる電流が定格電流以下になった場合でも、蓄電装置の再充電が必要となる。
【０００７】
それゆえに、この発明の主たる目的は、蓄電装置の端子間電圧の低下を抑制しながら、半導体スイッチに流れる電流を定格電流値以下に低下させることが可能な無停電電源装置を提供することである。
【課題を解決するための手段】
【０００８】
この発明に係る無停電電源装置は、第１の電極が交流電源に接続され、第２の電極が負荷に接続された半導体スイッチと、半導体スイッチの第２の電極と蓄電装置との間に接続され、交流電源からの交流電力を直流電力に変換して蓄電装置に供給するとともに、蓄電装置からの直流電力を交流電力に変換して負荷に供給する双方向電力変換器と、半導体スイッチに流れる電流と負荷に流れる無効電流を検出する電流検出器と、電流検出器の検出結果に基いて半導体スイッチおよび双方向電力変換器を制御する制御部とを備えたものである。制御部は、交流電源から交流電力が供給されている通常動作時は、半導体スイッチを導通させるとともに双方向電力変換器から蓄電装置に直流電力を供給させ、通常動作時において半導体スイッチに流れる電流が半導体スイッチの定格電流値を超えた場合は、双方向電力変換器から負荷に無効電流を供給させ、双方向電力変換器から負荷に無効電流を供給させても半導体スイッチに流れる電流が定格電流値を超えている場合は、双方向電力変換器から蓄電装置に供給される直流電力を減少させ、交流電源からの交流電力の供給が停止された停電時は、半導体スイッチを非導通にするとともに、双方向電力変換器から負荷に交流電力を供給させる。
【００１０】
また、この発明に係る他の無停電電源装置は、第１の電極が交流電源に接続され、第２の電極が負荷に接続された半導体スイッチと、半導体スイッチの第２の電極と蓄電装置との間に接続され、交流電源からの交流電力を直流電力に変換して蓄電装置に供給するとともに、蓄電装置からの直流電力を交流電力に変換して負荷に供給する双方向電力変換器と、半導体スイッチに流れる電流と負荷に流れる無効電流を検出する電流検出器と、電流検出器の検出結果に基いて半導体スイッチおよび双方向電力変換器を制御する制御部とを備えたものである。制御部は、交流電源から交流電力が供給されている通常動作時は、半導体スイッチを導通させるとともに双方向電力変換器から蓄電装置に直流電力を供給させ、通常動作時において半導体スイッチに流れる電流が半導体スイッチの定格電流値を超えた場合は、双方向電力変換器から負荷に無効電流を供給させ、双方向電力変換器から負荷に無効電流を供給させても半導体スイッチに流れる電流が定格電流値を超えている場合は、定格電流値を超える分の有効電流を双方向電力変換器から負荷に供給させ、交流電源からの交流電力の供給が停止された停電時は、半導体スイッチを非導通にするとともに、双方向電力変換器から負荷に交流電力を供給させる。
【００１１】
また好ましくは、さらに、第１の電極が交流電源に接続され、第２の電極が半導体スイッチの第２の電極に接続されたバイパススイッチを備える。制御部は、通常動作時において半導体スイッチに流れる電流が定格電流値を超えている時間が予め定められた時間を超えた場合はバイパススイッチを導通させ、通常動作時において半導体スイッチに流れる電流が定格電流値よりも大きな過電流値を超えた場合は半導体スイッチを非導通にし、停電時はバイパススイッチを非導通にする。
【発明の効果】
【００１２】
この発明に係る無停電電源装置では、半導体スイッチに流れる電流と負荷に流れる無効電流を検出し、半導体スイッチに流れる電流が定格電流値を超えた場合は、負荷の無効電流を双方向電力変換器から供給し、双方向電力変換器から負荷に無効電流を供給させても半導体スイッチに流れる電流が定格電流値を超えている場合は、双方向電力変換器から蓄電装置に供給される直流電力を減少させる。したがって、蓄電装置の端子間電圧の低下を抑制しながら、半導体スイッチに流れる電流を定格電流値以下に低下させることができる。
また、この発明に係る他の無停電電源装置では、半導体スイッチに流れる電流と負荷に流れる無効電流を検出し、半導体スイッチに流れる電流が定格電流値を超えた場合は、負荷の無効電流を双方向電力変換器から供給し、双方向電力変換器から負荷に無効電流を供給させても半導体スイッチに流れる電流が定格電流値を超えている場合は、定格電流値を超える分の有効電流を双方向電力変換器から負荷に供給させる。したがって、蓄電装置の端子間電圧の低下を抑制しながら、半導体スイッチに流れる電流を定格電流値以下に低下させることができる。
【図面の簡単な説明】
【００１３】
【図１】この発明の一実施の形態による無停電電源装置の要部を示す回路ブロック図である。
【図２】図１に示した双方向電力変換器の制御方法を説明するための回路ブロック図である。
【図３】図２に示した交流電圧および電流の検出値から電流の有効成分および無効成分を求める方法を説明するための回路ブロック図である。
【図４】図２および図３に示した電流ＩＳ，ＩＬ，ＩＣの関係を示す図である。
【図５】図１に示した双方向電力変換器の制御方法を説明するための図である。
【図６】図１に示した双方向電力変換器の制御方法を説明するための他の図である。
【図７】図１に示した双方向電力変換器の制御方法を説明するためのさらに他の図である。
【図８】本実施の形態の比較例を示す図である。
【発明を実施するための形態】
【００１４】
本願発明の一実施の形態による無停電電源装置は、図１に示すように、商用交流電源１に接続される入力端子Ｔ１、負荷２に接続される出力端子Ｔ２、半導体スイッチ３、およびバイパススイッチ４を備える。商用交流電源１は、三相交流電源でもよいし、単相交流電源でもよい。図１では、図面および説明の簡単化を図るため、三相のうちの一相に関連する部分のみが示されている。
【００１５】
半導体スイッチ３は、入力端子Ｔ１と出力端子Ｔ２の間に接続される。半導体スイッチ３は、オン／オフの制御が可能な半導体素子であり、たとえば、ＩＧＢＴ(Insulated Gate Bipolar Transistor：絶縁ゲートバイポーラトランジスタ)、サイリスタなどで構成される。
【００１６】
バイパススイッチ４の一方電極は入力端子Ｔ１と半導体スイッチ３の間のノードＮ１に接続され、その他方電極は半導体スイッチ３と出力端子Ｔ２の間のノードＮ２に接続される。バイパススイッチ４は、オン／オフの制御が可能な機械スイッチであり、たとえば継電器（リレー）で構成される。バイパススイッチ４の定格電流は、半導体スイッチ３の定格電流よりも十分に大きい。
【００１７】
また、この無停電電源装置は、直流電力を蓄える蓄電装置５と、蓄電装置５とノードＮ２との間に接続された双方向電力変換器６とを備える。蓄電装置５は、たとえば、蓄電池、コンデンサなどで構成される。双方向電力変換器６は、制御信号ＣＮＴによって制御され、蓄電装置５の直流電力を交流電力に変換して負荷２に供給するとともに、商用交流電源１から半導体スイッチ３を介して供給される交流電力を直流電力に変換して蓄電装置５に供給する。
【００１８】
また、この無停電電源装置は、交流電圧検出器１０、電流検出器１１〜１３、および直流電圧検出器１４を備える。交流電圧検出器１０は、入力端子Ｔ１に接続され、商用交流電源１からの交流電圧ＶＡＣの瞬時値を検出する。ただし、交流電圧ＶＡＣは、入力端子Ｔ１と出力端子Ｔ２の間のいずれの位置で検出してもよい。電流検出器１１は、ノードＮ１と半導体スイッチ３との間に設けられ、半導体スイッチ３に流れる電流ＩＳの瞬時値を検出する。ただし、電流ＩＳは、半導体スイッチ３とノードＮ２の間で検出してもよい。
【００１９】
電流検出器１２は、ノードＮ２と出力端子Ｔ２との間に設けられ、負荷電流ＩＬの瞬時値を検出する。電流検出器１３は、ノードＮ２と双方向電力変換器６との間に設けられ、双方向電力変換器６に流入する電流ＩＣの瞬時値を検出する。直流電圧検出器１４は、蓄電装置５に接続され、蓄電装置５の端子間電圧ＶＤＣを検出する。なお、ＩＳ＝ＩＬ＋ＩＣであるので、３つの電流検出器１１〜１３のうちの２つの電流検出器を設ければ、演算により３つの電流ＩＳ，ＩＬ，ＩＣが得られる。
【００２０】
また、この無停電電源装置は、半導体スイッチ制御回路２０、減算器２２、リミッタ２３、およびバイパススイッチ制御回路２４を備える。半導体スイッチ制御回路２０は、電流検出器１１によって検出された電流ＩＳと予め定められた過電流値とを比較するコンパレータ２１を含み、電流ＩＳが過電流値よりも大きい場合は半導体スイッチ３をオフさせる。なお、過電流値は、半導体スイッチ３の定格電流値よりも十分に大きな値である。
【００２１】
減算器２２は、電流検出器１１によって検出された電流ＩＳから半導体スイッチ３の定格電流値を減算する。したがって、半導体スイッチ３に流れる電流ＩＳが定格電流値を超えると、減算器２２の出力が正になる。リミッタ２３は、最小０のリミッタであり、減算器２２の出力が０以下である場合、すなわち半導体スイッチ３を流れる電流ＩＳが定格電流値以下である場合は０を出力し、電流ＩＳが定格電流値を超えた場合は超えた分の電流値を出力する。
【００２２】
バイパススイッチ制御回路２４は、リミッタ２３の出力電流値に応答して、その出力電流値に応じた遅延時間の経過後にバイパススイッチ４をオンさせる。たとえば、リミッタ２３の出力電流値が定格電流値の１０％になったときは、その時刻から６０秒の遅延時間の経過後にバイパススイッチ４がオンされる。また、リミッタ２３の出力電流値が定格電流値の２０％になったときは、その時刻から１０秒の遅延時間の経過後にバイパススイッチ４がオンされる。
【００２３】
遅延時間の経過前にリミッタ２３の出力電流値が０になった場合は、バイパススイッチ４はオンされない。バイパススイッチ４がオンされると、バイパススイッチ４のインピーダンスは半導体スイッチ３のインピーダンスよりも小さいのでバイパススイッチ４に流れる電流が半導体スイッチ３に流れる電流ＩＳよりも大きくなり、電流ＩＳが定格電流値以下になる。
【００２４】
また、商用交流電源１からの交流電力の供給が停止した停電時は、停電検出器（図示せず）から停電検出信号が出力される。半導体スイッチ制御回路２０は停電検出信号に応答して半導体スイッチ３をオフさせ、バイパススイッチ制御回路２４は停電検出信号に応答してバイパススイッチ４をオフさせる。
【００２５】
また、この無停電電源装置は、位相検出回路３０、有効電流／無効電流演算回路３１、変換器供給分演算回路３２、直流電圧制御回路３３、加算器３４、および変換器制御回路３５を備える。位相検出回路３０は、交流電圧検出器１０によって検出される交流電圧ＶＡＣの瞬時値に基いて、交流電圧ＶＡＣの位相角度θを求める。
【００２６】
有効電流／無効電流演算回路３１は、位相検出回路３０および電流検出器１１〜１３の検出結果に基いて、電流ＩＳ，ＩＬ，ＩＣの有効成分ＩＳｄ，ＩＬｄ，ＩＣｄおよび無効成分ＩＳｑ，ＩＬｑ，ＩＣｑを求める。
【００２７】
変換器供給分演算回路３２は、有効電流／無効電流演算回路３１の演算結果に基いて、双方向電力変換器６から負荷２に供給すべき電流値を求め、その電流値を加算器３４に与える。具体的には、変換器供給分演算回路３２は、半導体スイッチ３に流れる電流ＩＳが半導体スイッチ３の定格電流値を超えた場合、負荷電流ＩＬの無効成分ＩＬｑが双方向電力変換器６側から供給されるように、電流値を求めて加算器３４に与える。
【００２８】
それでも半導体スイッチ３に流れる電流ＩＳが半導体スイッチ３の定格電流値を超えている場合、変換器供給分演算回路３２は、超過分の有効電流も双方向電力変換器６側から負荷２に供給されるように、電流値を求めて加算器３４に与える。また、変換器供給分演算回路３２は、蓄電装置５への充電電流ＩＣを低減する必要がある場合は、直流電圧制御回路３３に充電電流低減指令を出力する。変換機供給分演算回路３２の動作については、後で詳述する。
【００２９】
直流電圧制御回路３３は、直流電圧検出器１４によって検出された蓄電装置５の端子間電圧ＶＤＣと定格電圧値とを比較し、比較結果に基いて、双方向電力変換器６から蓄電装置５に供給すべき電流値を求め、その電流値を加算器３４に与える。変換器供給分演算回路３２から上記の充電電流低減指令が出力されている場合、直流電圧制御回路３３は、その電流値を低減させる。
【００３０】
変換器制御回路３５は、加算器３４の出力電流値と電流検出器１３の検出値とに基いて、双方向電力変換器６を制御する。また、変換器制御回路３５は、商用交流電源１が停電した場合、停電検出器（図示せず）からの停電検出信号に応答して、双方向電力変換器６側から負荷２に交流電力が供給されるように、双方向電力変換器６を制御する。
【００３１】
次に、この無停電電源装置の動作について説明する。通常動作時は、バイパススイッチ４がオフされるとともに半導体スイッチ３がオンされ、商用交流電源１からの交流電力が半導体スイッチ３を介して負荷２に供給される。また、商用交流電源１からの交流電力が双方向電力変換器６によって直流電力に変換されて蓄電装置５に供給される。
【００３２】
また、通常動作時において、負荷電流ＩＬが増大して半導体スイッチ３に流れる電流ＩＳが定格電流値を超えた場合は、蓄電装置５からの直流電力が双方向電力変換器６によって交流電力に変換され、定格電流値を超える分の交流電流が双方向電力変換器６側から負荷２に供給される。このとき、双方向電力変換器６は、負荷電流ＩＬのうちの無効成分ＩＬｑを優先的に負荷２に供給する。これにより、蓄電装置５の端子間電圧ＶＤＣの低下を抑制しながら、半導体スイッチ３に流れる電流ＩＳを定格電流値以下に低減することができる。
【００３３】
半導体スイッチ３に流れる電流ＩＳが定格電流値を超える時間が所定時間を超えた場合は、バイパススイッチ制御回路２４によってバイパススイッチ４がオンされる。このとき半導体スイッチ３よりもバイパススイッチ４の方が低インピーダンスであるので、バイパススイッチ４に電流が流れ、半導体スイッチ３の電流ＩＳは低減される。
【００３４】
また、負荷電流ＩＬが増大して半導体スイッチ３に流れる電流ＩＳが過電流値を超えた場合は、半導体スイッチ制御回路２０によって半導体スイッチ３がオフされる。したがって、半導体スイッチ３が過電流によって破壊されるのを防止することができる。
【００３５】
また、商用交流電源１の停電時は、制御回路２０，２４によってバイパススイッチ４および半導体スイッチ３がオフされ、蓄電装置５からの直流電力が双方向電力変換器６によって交流電力に変換されて負荷２に供給される。したがって、停電時でも所定時間は、負荷２の運転を継続することができる。
【００３６】
次に、本願の特徴となる双方向電力変換器６の制御方法について詳細に説明する。この無停電電源装置では、図２に示すように、商用交流電源１から供給される交流電圧ＶＡＣの瞬時値と、半導体スイッチ３に流れる電流ＩＳの瞬時値と、負荷電流ＩＬの瞬時値と、双方向電力変換器６に供給される電流ＩＣの瞬時値とを交流電圧検出器１０および電流検出器１１〜１３によって検出する。
【００３７】
また、図３に示すように、交流電圧検出器１０によって交流電圧ＶＡＣの瞬時値を検出し、その検出値に基き、位相検出回路３０によって交流電圧ＶＡＣの位相角度θを検出する。一方、電流検出器１２によって負荷電流ＩＬの瞬時値を検出し、その検出値と位相角度θに基き、ｄｑ変換部３１Ｌによって負荷電流ＩＬの有効成分ＩＬｄおよび無効成分ＩＬｑを求める。ｄｑ変換部３１Ｌは、図１の有効電流／無効電流演算回路３１に含まれる。有効電流／無効電流演算回路３１は、同様に、半導体スイッチ３に流れる電流ＩＳの有効成分ＩＳｄおよび無効成分ＩＳｑと、双方向電力変換器６に供給される電流ＩＣの有効成分ＩＣｄおよび無効成分ＩＣｑとを演算する。
【００３８】
図４は、有効電流／無効電流演算回路３１の演算結果を例示する図である。図４において、点線で示される円の半径は、半導体スイッチ３の定格電流値ＩＲを示している。図４では、半導体スイッチ３に定格電流値ＩＲの電流ＩＳが流れ、その電流ＩＳが負荷２と双方向電力変換器６に分流されている。負荷電流ＩＬの有効成分ＩＬｄおよび無効成分ＩＬｑと、双方向電力変換器６に供給される電流ＩＣの有効成分ＩＣｄとの和が、半導体スイッチ３に流れる電流ＩＳとなっている。
【００３９】
変換器供給分演算回路３２は、有効電流／無効電流演算回路３１の演算結果に基いて、双方向電力変換器６側から負荷２に供給すべき電流を演算し、その演算結果を変換器制御回路３５に与える。図４の状態では、双方向電力変換器６側から負荷２に電流は供給されず、双方向電力変換器６に電流ＩＣｄが供給されて蓄電装置５が充電されている。
【００４０】
図５（ａ）では、図４の状態から負荷電流ＩＬの有効成分ＩＬｄが増加し、半導体スイッチ３に流れる電流ＩＳが定格電流値ＩＲを超えた状態が示されている。この場合、変換器供給分演算回路３２は、負荷電流ＩＬの無効成分ＩＬｑを双方向電力変換器６側から負荷２に供給すべきであると判別し、ＩＣｑ＝−ＩＬｑとする。この演算結果（ＩＣｑ＝−ＩＬｑ）は、加算器３４を介して変換器制御回路３５に与えられる。
【００４１】
変換器制御回路３５は、加算器３４を介して与えられた演算結果に基いて双方向電力変換器６を制御する。これにより図５（ｂ）に示すように、負荷電流ＩＬの無効成分ＩＬｑが双方向電力変換器６側から供給され、ＩＳ＝ＩＬｄ＋ＩＣｄとなる。また、電流ＩＳが減少し、図５（ｂ）ではＩＳ＝ＩＲとなっている。
【００４２】
また、図６（ａ）（ｂ）に示すように、ＩＣｄが比較的大きい場合において、ＩＣｑ＝−ＩＬｑとしてもＩＳ＞ＩＲとなるときは、さらにＩＣｄを低減させてＩＳ＝ＩＲとする。
【００４３】
また、図７（ａ）（ｂ）に示すように、ＩＣｄ＝０である場合において、ＩＣｑ＝−ＩＬｑとしてもＩＳ＞ＩＲとなるときは、さらに双方向電力変換器６側から負荷２に有効電流ＩＣｑを供給してＩＳ＝ＩＲとする。
【００４４】
図８（ａ）（ｂ）は、本実施の形態の比較例を示す図であって、図７（ａ）（ｂ）と対比される図である。図８（ａ）（ｂ）において、負荷電流ＩＬが増大して半導体スイッチ３に流れる電流ＩＳが定格電流値ＩＲを超えた場合、電流ＩＳの超過分の有効成分および無効成分を双方向電力変換器６側から供給する。この比較例では、双方向電力変換器６から負荷２に有効電流ＩＣｄおよび無効電流ＩＣｑが供給され、蓄電装置５の端子間電圧ＶＤＣが速く低下してしまう。
【００４５】
これに対して本願発明では、図５（ａ）（ｂ）〜図７（ａ）（ｂ）に示すように、双方向電力変換器６から負荷２に無効電流ＩＣｑを優先的に供給するので、蓄電装置５の端子間電圧ＶＤＣの低下を最小限に抑制することができる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４７】
１  商用交流電源、２  負荷、３  半導体スイッチ、４  バイパススイッチ、５  蓄電装置、６  双方向電力変換器、１０  交流電圧検出器、１１〜１３  電流検出器、１４  直流電圧検出器、２０  半導体スイッチ制御回路、２１  コンパレータ、２２  減算器、２３  リミッタ、２４  バイパススイッチ制御回路、３０  位相検出回路、３１  有効電流／無効電流演算回路、３１Ｌ  ｄｑ変換部、３２  変換器供給分演算回路、３３  直流電圧制御回路、３４  加算器、３５  変換器制御回路、Ｔ１  入力端子、Ｔ２  出力端子。
【図１】
0005649485.tif 000002
【図２】
0005649485.tif 000003
【図３】
0005649485.tif 000004
【図４】
0005649485.tif 000005
【図５】
0005649485.tif 000006
【図６】
0005649485.tif 000007
【図７】
0005649485.tif 000008
【図８】
0005649485.tif 000009